(57)【要約】【課題】画像読み取り装置のステータス情報などを印字可能とし、ユーザまたはフィールドサービスにおける利便性を向上させる。【解決手段】原稿上の画像データを読み取る画像読み取り手段と、前記画像読み取り手段により読み取られた画像データを処理する画像処理手段と、前記画像読み取り手段により読み取り動作が行われた原稿に印字を行う印字手段を有する画像読み取り装置において、前記印字手段は、前記画像読み取り装置のステータス情報またはメンテナンス情報を印字するステータス情報印字手段を有する。【選択図】　　　　図１
2004080643.tif 000002
【特許請求の範囲】
【請求項１】
原稿上の画像データを読み取る画像読み取り手段と、
前記画像読み取り手段により読み取られた画像データを処理する画像処理手段と、
前記画像読み取り手段により読み取り動作が行われた原稿に印字を行う印字手段とを有し、
前記印字手段は、前記画像読み取り装置のステータス情報またはメンテナンス情報を印字するステータス情報印字手段を有することを特徴とする画像読み取り装置。
【請求項２】
前記ステータス情報印字手段は、着脱可能とすることを特徴とする請求項１記載の画像読み取り装置。
【請求項３】
前記ステータス情報印字手段は、原稿の搬送方向における排紙口側に有することを特徴とする請求項１または２記載の画像読み取り装置。
【請求項４】
前記ステータス情報印字手段は、該ステータス情報またはメンテナンス情報の印字モードを選択する印字モード選択手段を有し、
前記印字モード選択手段は、前記ステータス情報印字手段を制御する制御手段を有することを特徴とする請求項１から３のいずれか１項に記載の画像読み取り装置。
【請求項５】
前記制御手段は、前記ステータス情報印字手段を用いるか否かを選択する印字選択手段を有することを特徴とする請求項４記載の画像読み取り装置。
【発明の詳細な説明】
【０００１】
【発明の属する技術分野】
本発明は、原稿の読み取り動作の終了を示す押印処理を行うエンドーサ機能を有する画像読み取り装置に関する。
【０００２】
【従来の技術】
ホストコンピュータに原稿上の画像情報を入力する画像入力装置のひとつにファクシミリ装置、複写機、スキャナ装置などの画像読み取り装置がある。近年のコンピュータの普及と共に電子ファイリングシステムが広く利用されるようになり、この電子ファイリングシステムの入力装置として画像読み取り装置が利用されている。例えば保険会社や不動産業においては、業務上発生する多量の契約書などに記載された情報をコンピュータに入力して保管したり、メーカーなどにおいては技術情報などの資料の管理が行われる。この原稿の入力作業を正確かつ速やかに行うと共に、情報の共有化や検索作業の効率化などを狙いとして、画像読み取り装置により原稿上の記載内容をイメージデータとして入力する電子ファイリングシステムが構築される。
【０００３】
また近年、オフィス内のネットワーク化が進み、画像読み取り装置においてもネットワークに接続し、電子文書化された情報の送り先を、画像読み取り装置の操作パネルから指定して送信する画像読み取り装置が浸透し始めている。
【０００４】
画像読み取り装置には、原稿の読み取り確認や読み取った原稿の検索を目的として、原稿の端部や原稿の裏面に記号や文字等を印字する印字手段（以下、エンドーサ手段）を有する装置がある。エンドーサ手段は、あらかじめユーザが指定した文字や記号などを、読み取りが正常に終了した原稿に対して、原稿の端部や裏面の、ユーザがあらかじめ指定した位置に原稿の読み取り終了を示す文字あるいは印を印字する使い方が一般的である。特２０００−２２８８３号公報の「画像読取装置」、特２０００−１７４９６０号公報の「読み取り装置」、特２０００−２１６９５１号公報の「画像読取装置」、特２００１−５３９２２号公報の「画像読取装置」等にエンドーサ手段についての技術が開示されている。
【０００５】
【発明が解決しようとする課題】
電子ファイリングシステムの入力装置として画像読み取り装置を用いる場合、原稿の搬送時に発生する原稿ジャムやホストコンピュータとの通信の際に発生する異常など、画像読み取り装置に発生する異常の情報、あるいは原稿のトータル通紙枚数やトータルの読み取り回数などのメンテナンス情報等は、ＬＥＤ等の簡易な構成で画像読み取り装置内に有する表示部によってＬＥＤの点滅の組み合わせで表示するなどの制御を行ってきた。ＬＥＤ等の簡単な表示手段を用いて画像読み取り装置のステータス情報を表示する場合、表示手段のバリエーションに限りがあることから、ステータス項目を大まかなくくりにして表示することに留めたり、また表示手段の構成によっては表示内容の確認にあたって、取扱説明書などからその都度引用したりしなくてはならないなど、ユーザにとって画像読み取り装置のステータスが判り難い面があった。
【０００６】
これはユーザのみならず、フィールドサービスにおける画像読み取り装置のメンテナンス等の際にも同様のことが言え、現状の画像読み取り装置ではユーザあるいはフィールドサービスに対する表示手段がＬＥＤ等による簡易な手段で構成されていることから、その表示の種類にも制約があり、取扱説明書やサービスマニュアル等の画像読み取り装置に付随するドキュメント類を参照にしながら画像読み取り装置の状態を把握することになり、エラー発生時やメンテナンスの際に適正な処置が施されるまでに時間を要していた。
【０００７】
図９は、従来の画像読み取り装置におけるステータス情報の表示の一例を示す図である。画像読み取り装置の前面に表示ＬＥＤ９０１が配置され、通常動作状態における画像読み取り装置の状態、例えば電源ＯＮ、ＡＤＦ原稿セット、データ転送、カバーオープンなどの状態をこれらの表示ＬＥＤ９０１のＯＮ／ＯＦＦにより表示している。
【０００８】
例えば、画像読み取り装置のメンテナンス情報（ＡＤＦのトータルスキャン数やランプのトータル点灯時間など）を知るためには、画像読み取り装置の背面などに配置される図示しないディップスイッチ及び図示しないロータリースイッチなどでサービスモードを選択し、知りたいメンテナンス情報を表示させる環境を作っていた。図１０は、ロータリースイッチの設定例を示す図であり、図１１は、表示部のカウンタ値換算を示す図である。図１２は、カウンタの確認例を示す。ロータリースイッチの設定ごとに、表示ＬＥＤ９０１が図１２に示す様な点灯状態を表すことで、各ＬＥＤの点灯／消灯の状態から図１１を用いて数値等に換算する必要があった。図１２の場合、カウンタ値は５３８となる。この構成の場合、一度の図示しないディップスイッチ及び図示しないロータリースイッチの設定で複数種類のメンテナンス情報を表示することが不可能であるため、各メンテナンス情報毎にディップスイッチ等の設定を変えながら、表示ＬＥＤ９０１で表示される状態を見て数値に換算していく作業が発生し、相当の手間がかかることになっている。
【０００９】
また、画像読み取り装置の操作パネル上で宛先を指定するものの、宛先のアドレスが正確なものであるか把握できないこともある。ユーザによっては画像読み取り装置に登録されているアドレスが正確であるか把握したい場合も考えられる。
【００１０】
本発明は、上記事情を鑑みてなされたものであり、エンドーサ手段を用いて、画像読み取り装置のステータス情報などを印字可能とし、ユーザまたはフィールドサービスにおける利便性を向上させることを目的とする。
【００１１】
【課題を解決するための手段】
かかる目的を達成するために、請求項１記載の発明は、原稿上の画像データを読み取る画像読み取り手段と、前記画像読み取り手段により読み取られた画像データを処理する画像処理手段と、前記画像読み取り手段により読み取り動作が行われた原稿に印字を行う印字手段とを有し、前記印字手段は、前記画像読み取り装置のステータス情報またはメンテナンス情報を印字するステータス情報印字手段を有することを特徴としている。
【００１２】
請求項２記載の発明は、請求項１記載の発明において、前記ステータス情報印字手段は、着脱可能とすることを特徴としている。
【００１３】
請求項３記載の発明は、請求項１または２記載の発明において、前記ステータス情報印字手段は、原稿の搬送方向における排紙口側に有することを特徴としている。
【００１４】
請求項４記載の発明は、請求項１から３のいずれか１項に記載の発明において、前記ステータス情報印字手段は、ステータス情報またはメンテナンス情報の印字モードを選択する印字モード選択手段を有し、前記印字モード選択手段は、前記ステータス情報印字手段を制御する制御手段を有することを特徴としている。
【００１５】
請求項５記載の発明は、請求項４記載の発明において、前記制御手段は、前記ステータス情報印字手段を用いるか否かを選択する印字選択手段を有することを特徴としている。
【００１６】
【発明の実施の形態】
以下、本発明の実施の形態を添付図面を参照しながら詳細に説明する。
【００１７】
図１は、本発明の画像読み取り装置における全体構成の一実施例を示す図である。本構成は、原稿台ガラス１と、第１ミラー２と、照明ランプ３と、第２ミラー４と、第３ミラー５と、ＣＣＤ６と、走行体モータ７と、原稿トレイ８と、ピックアップローラ９と、レジストローラ対１０と、搬送ドラム１１と、搬送ローラ１２と、搬送ローラ対１３と、排紙ローラ対１４と、密着イメージセンサ１５と、ＲＳＢＵ１６と、白色ローラ１７と、エンドーサユニット１８と、エンドーサプラテン１９と、ＳＢＵ２０と、ＳＣＵ２１と、ＩＰＵ基板２２と、ＲＣＵ２３と、レンズ３１と、排紙トレイ３２とを有し構成されている。
【００１８】
原稿台ガラス１上に置かれた原稿は、第１ミラー２と一体に構成された照明ランプ３により照射され、その反射光は、第１ミラー２及び一体に構成された第２ミラー４、第３ミラー５で走査される。その後反射光は、レンズ３１により集束され、ＣＣＤ６に照射され光電変換される。第１ミラー２、照明ランプ３及び第２ミラー４、第３ミラー５は、走行体モーター７を駆動源として、Ａ方向に移動可能となっている。
【００１９】
原稿トレイ８に積載された原稿は、ピックアップローラ９、レジストローラ対１０、搬送ドラム１１、搬送ローラ１２により読み取り位置Ｂを経て、搬送ローラ対１３及び排紙ローラ対１４へ送り込まれ、排紙トレイ３２上に排出される。原稿は、読み取り位置Ｂを通過する際に、読み取り位置Ｂ近傍に移動されている照明ランプ３により照射され、その反射光は、第１ミラー２及び一体に構成された第２ミラー４、第３ミラー５で走査される。その後反射光は、レンズ３１により集束され、ＣＣＤ６に照射され光電変換される。ピックアップローラ９、レジストローラ対１０は、図示しない給紙モータにより駆動され、搬送ドラム１１、搬送ローラ１２、搬送ローラ対１３、排紙ローラ対１４は、図示しない搬送モータにより駆動される。
【００２０】
読み取り位置Ｃには密着イメージセンサ１５が設置されている。密着イメージセンサ１５は、図示しない光源であるＬＥＤ、図示しないレンズ、図示しないセンサ素子で構成されている。原稿は、読み取り位置Ｃを通過する際に、読み取り位置Ｂで読み取られた反対の面（裏面）を読み取り位置Ｃに設置されている密着イメージセンサ１５内ランプにより照射され、その反射光は密着イメージセンサ１５上レンズにより集束され、密着イメージセンサ１５上センサ素子照射され光電変換される。密着イメージセンサ１５の原稿を挟んだ対向部には白色ローラ１７が設置されていて、密着イメージセンサ１５による読み取り時のシェーディング補正用白色部材として使用される。
【００２１】
搬送ローラ対１３と排紙ローラ対１４の間には、エンドーサユニット１８とエンドーサプラテン１９が設置されている。エンドーサユニット１８はインクを染み込ませたアルファベット文字と数字の印からなる印字部と、印字部をエンドーサプラテン方向に加圧する図示しない加圧ソレノイドから構成されている。原稿をエンドーサユニット１８上に停止させ、エンドーサプラテン１９で加圧方向に固定し、エンドーサユニット１８印字部への加圧により原稿面にアルファベット文字や数字を印字することができる。
【００２２】
図２は、本発明の画像読み取り装置における全体構成の一実施例を示す全体ブロック図である。本構成は、走行体モータ７と、密着イメージセンサ１５と、ＲＳＢＵ１６と、エンドーサユニット１８と、ＳＢＵ２０と、ＳＣＵ２１と、ＲＣＵ２３と、ＩＯＢ２４と、ＰＳＵ２５と、オプションＩＰＵ２６と、ネットワークコントローラ２７と、本体操作パネル２８と、ネットワーク操作パネル２９と、ＡＤＵ３０と、ＮＩＰＵ３３と、コネクタ３４と、ＳｉＢＣ３５と、ＳＣＳＩコントローラ３６と、ＣＰＵ３７と、ＲＯＭ３８と、ＲＡＭ３９と、ＣＰＵバス４０と、ＤＲＡＭ４１と、インレット４２と、エンドーサプラテンソレノイド４３と、表示ＰＣＢ４４と、搬送センサ４５と、レジストセンサ４６と、排紙センサ４７と、原稿有無センサ４８と、ＡＤＦリフトアップセンサ４９と、トレイ上昇クラッチ５０と、給紙クラッチ５１と、給紙モータ５２と、搬送モータ５３と、モータインターロックスイッチ５４と、ランプレギュレータ５５と、Ｘｅランプ５６と、冷却ファン５７と、ホームポジションセンサ５８と、ＡＣスイッチ５９とを有し構成されている。
【００２３】
ＳＢＵ２０上のＣＣＤ６に入光した原稿の反射光は、ＣＣＤ６内で光の強度に応じた電圧値を持つアナログ信号に変換される。アナログ信号は、奇数ビットと偶数ビットに分かれて出力される。前記アナログ画像信号は、ＳＢＵ２０上で図示しないアナログ処理回路の暗電位部分が取り除かれ、奇数ビットと偶数ビットが合成され、所定の振幅にゲイン調整された後にＡ／Ｄコンバータに入力されデジタル信号化される。
【００２４】
デジタル化された画像信号は、ＳＣＵ２１上のＮＩＰＵ３３で、シェーディング補正、ガンマ補正、ＭＴＦ補正等が行われた後、２値化され、ページ同期信号と、ライン同期信号と、画像クロックとともにビデオ信号として出力される。
【００２５】
ＮＩＰＵ３３から出力されたビデオ信号は、コネクタ３４を介してオプションＩＰＵ２６へ出力される。オプションＩＰＵ２６へ出力されたビデオ信号は、オプションＩＰＵ２６内で所定の画像処理が行われ、再びＳＣＵ２１へ入力される。再びＳＣＵ２１へ入力されたビデオ信号は、図示しないセレクタに入力される。前記セレクタのもう一方の入力はＮＩＰＵ３３から出力されたビデオ信号となっていて、オプションＩＰＵ２６で画像処理するか否かを選択できる構成となっている。
【００２６】
前記セレクタから出力されたビデオ信号は、画像データ記憶手段（ＤＲＡＭ４１）を管理するＳｉＢＣ３５に入力され、ＤＲＡＭ４１で構成される画像メモリに蓄えられる。画像メモリに蓄えられた画像データは、ＳＣＳＩコントローラ３６に送られ、パソコン等の外部装置へ転送される。
【００２７】
密着イメージセンサ１５で光電変換されたアナログ画像信号は、ＲＳＢＵ１６上でデジタル変換される。デジタル化された画像信号は、ＲＳＢＵ１６上でシェーディング補正が施された後に、ＲＣＵ２３へ送られる。
【００２８】
ＲＣＵ２３は、ＤＲＡＭ４１で構成される画像メモリと画像データメモリを制御するＳｉＢＣ３５で構成され、画像データをいったん画像メモリに蓄積した後にＳＣＵ２１へ転送する。ＲＣＵ２３からＳＣＵ２１へ送られた画像データと、ＳＣＵ２１上ＳｉＢＣ３５から出力される画像データは切替え可能となっており、いずれかの画像データを選択してＳＣＳＩコントローラ３６へ転送される。
【００２９】
ＳＣＵ２１は、ＣＰＵ３７と、ＲＯＭ３８と、ＲＡＭ３９とを有しており、ＣＰＵバス４０を介して接続されている。ＣＰＵ３７は、ＳＣＳＩコントローラ３６を制御してパソコン等の外部装置との通信を行う。また、ＣＰＵ３７は、ステッピングモータである走行体モータ７と、給紙モータと、搬送モータとのタイミング制御も行っている。
【００３０】
ＡＤＵ３０は、自動原稿搬送機構（ＡＤＦ）部に用いる電装部品の電力供給を中継する機能を有する。
【００３１】
ＳＣＵ２１上のＣＰＵ３７に接続されている入力ポートは、ＩＯＢ２４を介して本体操作パネル２８に接続されている。本体操作パネル２８上には図示しないスタートスイッチと図示しないアボートスイッチを有している。それぞれのスイッチが押下されると入力ポートを介してＣＰＵ３７はスイッチがＯＮされたことを検出する。
【００３２】
図３、図４は、本発明の画像読み取り装置におけるエンドーサの構成の一例を概略的に示す図である。図３は、エンドーサユニット１８と、エンドーサプラテン１９と、排紙ローラ１４とを有し構成されている。図４は、エンドーサユニット１８と、エンドーサプラテン１９と、エンドーサプラテンソレノイド４３とを有し構成されている。
【００３３】
エンドーサユニット１８は、排紙ローラ１４の手前に位置し、エンドーサプラテンソレノイド４３をＯＮすることでエンドーサプラテンで原稿を押さえ、固定しながらエンドーサユニット１８による印字を行う。
【００３４】
図５は、本発明の画像読み取り装置におけるエンドーサユニット１８の構造の一例を示す概略図である。エンドーサユニット１８は、キャラクタベルト５０１と、インクローラ５０２と、エンドーサモータ５０３と、クラッチ５０４と、ハンマーユニット５０５と、ハンマー５０６とを有し構成される。
【００３５】
インクローラ５０２は常にキャラクタベルト５０１に接しており、常時インクがキャラクタベルト５０１に供給されている。印字は、ハンマーユニット５０５が、ハンマーユニット５０５が通っている軸上を軸方向に移動することで原稿上の主走査方向の印字位置を決め、キャラクタベルト５０１の回転により印字する文字または記号の種類を指定する。ハンマーユニット５０５が通っている軸が回転することでハンマー５０６を叩き、原稿上に印字する。
【００３６】
図６は、本発明の画像読み取り装置におけるエンドーサ処理の一般的な処理手段の一例を概略的に示すフローチャートである。図６において、図示しないホストコンピュータから読み取り時の解像度や画像処理の種類などの原稿の読み取り条件の指定、エンドーサによる読み取り終了確認のための印字実行要否、印字実行の場合は印字する文字あるいは記号の種類と印字する位置など、画像読み取り装置の動作条件が送信されると（ステップＳ６００）、画像読み取り装置はＳＣＳＩコントローラ３６を介してこれらの動作条件を受け取り、原稿の読み取り動作を開始する（ステップＳ６０１）。
【００３７】
読み取り動作が終了し（ステップＳ６０２）、原稿の搬送経路上にある排紙センサがＯＮになったあと、所定の距離だけ原稿を搬送させ、原稿搬送モータを停止させる。排紙センサがＯＮになった後に原稿を搬送させる距離は、前記読み取り動作前にホストコンピュータから送る画像読み取り装置の動作条件（ステップＳ６００）に従う。次にエンドーサ処理指示があれば（ステップＳ６０３でＹｅｓ）、エンドーサモータをＯＮし、エンドーサプラテンソレノイド４３をＯＮにして、印字を開始する。印字は所定の文字あるいは記号の位置までキャラクタベルト５０１を回転させハンマーユニット５０５によってハンマー５０６を叩くことで印字を行う（ステップＳ６０４）。所定の文字あるいは記号の印字が終了すると、エンドーサモータをＯＦＦし、続いてエンドーサプラテンソレノイド４３をＯＦＦし、原稿搬送モータを再起動させて原稿の搬送動作を再開して原稿を排紙口がら排出させる（ステップＳ６０５）。読み取るべき原稿が複数枚セットされ、次に読み取る原稿がある時は、一連の読み取り動作を再度実行する（ステップＳ６０６）。
【００３８】
図７は、本発明の画像読み取り装置において、エンドーサユニット１８を用いて装置のステータス情報を印字する印字処理手段を概略的に示すフローチャートである。ユーザはホストコンピュータもしくは画像読み取り装置の操作パネルなどから、画像読み取り装置のステータスを印字するコマンドを画像読み取り装置に対して送信する（ステップＳ７０１）。次に、画像読み取り装置は、ステータス情報を印字する用紙がセットされているか検出すると共に（ステップＳ７０２）、ユーザに対して印字用紙をセットする旨を促す（ステップＳ７０３）。印字する用紙のセットが完了した後、ホストコンピュータ上（使用しているドライバソフト画面上に用意されている印字スタートボタン、あるいは操作パネル上のスタートボタンの押下により、画像読み取り装置に対して印字開始のコマンドを送る（ステップＳ７０４）。印字スタートのコマンドを画像読み取り装置が受けると、画像読み取り装置はステータス情報の印字処理を開始する（ステップＳ７０５）。
【００３９】
具体的には原稿読み取り動作時と同様、印字する用紙が原稿給紙口から給紙され、原稿搬走路を搬送し、排紙口付近に設置されている排紙センサが、印字する用紙を検知した後、所定の距離だけ印字する用紙を搬送させ、搬送モータを停止して印字する用紙の搬送を停止させる。続いてエンドーサモータ５０３をＯＮさせると共にエンドーサプラテンソレノイド４３をＯＮさせることでエンドーサプラテン１９により印字する用紙を押さえて、固定させつつ、エンドーサユニット１８による印字を行う。主走査方向１ライン分の印字が終了すると、エンドーサモータ５０３及びエンドーサプラテンソレノイド４３をＯＦＦし、搬送モータをＯＮさせて、１ライン分の用紙搬送を行ったところで搬送モータを再度ＯＦＦさせる。この様な動作を繰り返すことで、用紙上にステータス情報の印字を行う。
【００４０】
図８は、本発明の画像読み取り装置において、エンドーサユニット１８を用いてステータス情報を印字する一例を示す図である。エンドーサユニット１８による印字は、所定の印字範囲内にて行われ、ステータス情報としてユーザ（あるいはフィールドサービス）が必要な情報、例えばＡＤＦによるトータル読み取り枚数やＢＯＯＫモードのトータル読み取り枚数、ランプのトータルＯＮ時間などを印字する。また、エラー発生時のエラーの内容、例えば、「読み取り実行時ランプＯＮせず」や「メモリエラー」などのエラー情報も必要に応じて印字することができるものとする。但し、エンドーサユニット１８におけるキャラクタベルト５０１の制約上、使用可能な文字はアルファベットを始め、種類に限りがあることから簡潔でなおかつ意味が明確な表現で、ステータス情報、あるいはエラー情報の印字を行う。
【００４１】
また、図８の一例では、印字する内容として画像読み取り装置のステータス情報やエラー情報に関して説明したが、近年普及しつつあるネットワークスキャナの場合には、画像読み取り装置で読み取った画像データの送り先のアドレス（相手先コンピュータ名やＩＰアドレスなど）の印字を行い、送り先の確認を行うことも可能である。また、図８では、原稿を搬送した場合に原稿表面となる向きに印字する様な構成としているが、エンドーサユニット１８やエンドーサプラテン１９を始めとするエンドーサ機構の取付け方向などを逆向きにして、原稿を搬送させた時に読み取るべき原稿面とは反対の面に印字を行う構成とすることも可能である。
【００４２】
【発明の効果】
以上の説明から明らかなように、本発明によれば、従来の画像読み取り装置において、その装置のステータス情報やメンテナンス情報を知る上で伴っていた煩雑な作業を軽減することが可能となると共に、画像読み取り装置のステータス情報やメンテナンス情報の内容を容易に把握することが可能となることから、画像読み取り装置のメンテナンス性を向上することが可能となる。
【００４３】
また、本発明によれば、印字手段となるエンドーサユニット１８をユーザが必要に応じて着脱可能とする構成が取れると共に、エンドーサユニット１８による従来機能である原稿読み取り終了後の印字確認を確実に行えると共に、読み取るべき原稿上の画像データに対してエンドーサユニット１８による印字が妨げとなることを回避することが可能となる。
【００４４】
また、本発明によれば、画像読み取り装置にあらかじめ用意されている操作パネルや、接続されるホストコンピュータ上のスキャナドライバソフトなどのユーザインターフェースにステータス情報やメンテナンス情報の印字モード選択機能を用意することで、エンドーサユニット１８による画像読み取り装置のステータス情報やメンテナンス情報を、必要時に印字出力することが可能となる。
【００４５】
また、本発明によれば、エンドーサユニット１８の印字機能を利用して画像読み取り装置のステータス情報やメンテナンス情報を印字することで、短時間で画像読み取り装置の状態を把握することが可能となる。
【図面の簡単な説明】
【図１】本発明の画像読み取り装置における全体構成の一実施例を示す図である。
【図２】本発明の画像読み取り装置における全体構成の一実施例を示す全体ブロック図である。
【図３】本発明の画像読み取り装置におけるエンドーサの構成の一例を概略的に示す第１の図である。
【図４】本発明の画像読み取り装置におけるエンドーサの構成の一例を概略的に示す第２の図である。
【図５】本発明の画像読み取り装置におけるエンドーサユニット１８の構造の一例を示す概略図である。
【図６】本発明の画像読み取り装置におけるエンドーサ処理の一般的な処理手段の一例を概略的に示すフローチャートである。
【図７】本発明の画像読み取り装置において、エンドーサユニット１８を用いて装置のステータス情報を印字する印字処理手段を概略的に示すフローチャートである。
【図８】本発明の画像読み取り装置において、エンドーサユニット１８を用いてステータス情報を印字する一例を示す図である。
【図９】従来の画像読み取り装置におけるステータス情報の表示の一例を示す図である。
【図１０】従来の画像読み取り装置におけるロータリースイッチの設定例を示す図である。
【図１１】従来の画像読み取り装置における表示部のカウンタ値換算を示す図である。
【図１２】従来の画像読み取り装置におけるカウンタの確認例を示す図である。
【符号の説明】
６　ＣＣＤ
７　走行体モータ
１０　レジストローラ対
１１　搬送ドラム
１２　搬送ローラ
１３　搬送ローラ対
１４　排紙ローラ対
１５　密着イメージセンサ
１６　ＲＳＢＵ
１８　エンドーサユニット
１９　エンドーサプラテン（原稿押さえ）
４３　エンドーサプラテンソレノイド（原稿押さえＳＯＬ）
４５　搬送センサ
４６　レジストセンサ
４７　排紙センサ
４８　原稿有無センサ
４９　ＡＤＦリフトアップセンサ
５２　給紙モータ
５０１　キャラクタベルト
５０５　ハンマーユニット
５０６　ハンマー
【図１】
2004080643.tif 000003
【図２】
2004080643.tif 000004
【図３】
2004080643.tif 000005
【図４】
2004080643.tif 000006
【図５】
2004080643.tif 000007
【図６】
2004080643.tif 000008
【図７】
2004080643.tif 000009
【図８】
2004080643.tif 000010
【図９】
2004080643.tif 000011
【図１０】
2004080643.tif 000012
【図１１】
2004080643.tif 000013
【図１２】
2004080643.tif 000014